(57)【要約】  本発明は、多重波信号休養室、及び多重波信号変調電源の製造方法を提供し、前記休養室は、多重波信号の放出室である。室内に90-150個の多重波信号放出素子(37)が配置されている。これらの多重波信号放出素子(37)は、電場の作用下で、多重波信号電源(33)により信号変調されることにより、人体に対応する多重波形を放出し、人体に室内で多重波共振を発生させることで、疾病を解消し、健康を回復し、寿命を延ばすことを達成し、前記多重波信号変調電源(33)の作製方法により作製された多重波信号変調電源(33)は、前記多重波信号休養室に適用される。
2018508317.tif 000002
【特許請求の範囲】
【請求項１】
多重波信号休養室であって、多重波信号放出素子支持フレーム、加熱コイル、高圧電場、多重波信号変調電源、多重波信号導波カバー、多重波信号放出素子台、多重波信号放出素子、及び中間かご形カプセル骨格を備え、前記加熱コイルは、前記多重波信号放出素子支持フレームに均一に巻き付けられ、前記多重波信号放出素子を加熱し、前記多重波信号放出素子支持フレームの頂部が前記多重波信号導波カバーに接続され、ボルトが前記多重波信号導波カバーの頂部から前記多重波信号放出素子の底部に設けられている前記多重波信号放出素子台まで前記多重波信号放出素子支持フレームの頂部に接続され、前記多重波信号放出素子台は、高圧電源の正極に電気的接続され、多重波信号導波カバーに接続されている前記ボルトは、高圧電源の負極に電気的接続され、前記多重波信号放出素子台の外壁に、1層のコイル又は金属体が前記多重波信号変調電源の多重波信号電荷のキャリアとして巻き付けられ、前記中間かご形カプセル骨格の前後に前記カプセル開閉ドアが設けられ、前記中間かご形カプセル骨格の外部がカプセル外殻により包まれ、内部に多孔質コンテナが設けられ、中央に可動ベッドが設置され、前記中間かご形カプセル骨格に、90-150個の多重波信号放出素子が均一に取り付けられ、カプセル内に換気扇1、換気扇2、及び照明装置が設けられ、前記多重波信号放出素子の回路制御システムは、ソフトウェアプログラムをコントロールすることにより、モニター画面にて各前記多重波信号放出素子の前記加熱コイル、前記高圧電場、前記多重波信号変調電源の動作が正常であるか否かを明確に観察することができるとともに、カプセル内の温度変化を観察しコントロールすることができ、プログラムの制御により、前記多重波信号休養室が人体と多重波共振を発生することを特徴とする多重波信号休養室。
【請求項２】
前記多重波信号放出素子支持フレームは円錐状であり、円錐状の頂部の直径が46mm、垂直方向の高さが90mm、壁厚が4-5mmであり、前記多重波信号放出素子支持フレームの中部の直径が77mmで、前記加熱コイルの巻き付け領域であり、前記多重波信号放出素子支持フレームの円錐状の底部の直径が98mmであり、中心円の中央が前記ボルトを接続するボルト孔であり、前記多重波信号放出素子支持フレームの断面頂部にある前記ボルト孔の直径が6mmであり、前記多重波信号放出素子支持フレームのキャビティ内の円錐角が34°であり、前記多重波信号放出素子支持フレームは、セラミック（紫砂陶）で作製され、本体表面にTDP材料を釉薬として塗布し、焼成されてなることを特徴とする請求項1に記載の多重波信号休養室。
【請求項３】
前記加熱コイルの電力が10-25Wであることを特徴とする請求項1に記載の多重波信号休養室。
【請求項４】
前記多重波信号導波カバーは円錐状であり、前記多重波信号導波カバーは金属で作製され、高さが59-65mm、頂部の直径が10-20mm、底部の直径が68-75mm、壁厚が1.5-3mmであり、前記多重波信号導波カバー内の円錐角が34°であり、前記多重波信号導波カバーはステンレス鋼で作製されることを特徴とする請求項1に記載の多重波信号休養室。
【請求項５】
前記多重波信号放出素子台は、プラスチックで作製され、直径が108-115mm、高さが107-115mmであり、基台の内壁が金属体であり、前記多重波信号放出素子台は、1000-3000Vの高圧電源の正極に電気的接続されていることを特徴とする請求項1に記載の多重波信号休養室。
【請求項６】
前記多重波信号放出素子台の外壁に巻き付けられているコイル又は金属体の高さは30-40mmであり、前記多重波信号電荷のキャリアの信号電流は2-3mA、電圧は5-6Vであることを特徴とする請求項1に記載の多重波信号休養室。
【請求項７】
前記中間かご形カプセル骨格の直径が800-900mm、長さが2000mm-2100mmであり、前記中間かご形カプセル骨格の中央に取り付けられている可動ベッドは1800mm-1900mmであることを特徴とする請求項1に記載の多重波信号休養室。
【請求項８】
前記多重波信号放出素子の回路制御システムは、前記多重波信号休養室の温度を、安定した動作範囲となる33°C-50°Cに制御することを特徴とする請求項1に記載の多重波信号休養室。
【請求項９】
多重波信号変調電源の製造方法であって、
1、マグネシウム及びマグネシウム合金板材で多重波信号電源の負極24を作製し、板材の厚さを0.2-1mmにし、板材表面を絶縁処理するステップと、
2、多重波信号変調電源の集電器を作製するステップと、
を含み、
前記多重波信号変調電源の集電器の作製は、以下の通りであり、
（1）塩化カルシウム600gに水600gを入れ、コロイドを形成し、(2)2％のキサンタンガム水溶液7000g、(3)工業用塩1800g、(4)ラノリン360g、(5)グリセリン360g、(6)植物油300g、(7)133水溶性接着剤600g、(8)10％もち米粉ペースト1800g、及び(9)親油性乳化剤300gを加え、乳化し、乳化した混合物に、(10)酸化トリウム240g、(11)リン酸鉄240g、(12)コバルト酸リチウム100g、(13)ニッケル酸リチウム100g、(14)リン酸三ナトリウム4800g、(15)工業用塩300g、(16)硫酸コバルト800-1200g、及び(17)黒鉛3600g-4100gを入れ、撹拌器にて均一に撹拌した後、厚さが0.3-0.6mmとなるように20-30gの紙に塗布し、乾燥し、切断した後、負極に貼り付け、真空で40-70°Cで1-2時間乾燥させた後、集電板に銅又は銀箔を正極として貼り付け、正極と負極との間の電圧が1.3-2Vであり、集電板を積層して直列接続することにより、前記多重波信号電荷のキャリアの信号電流及び電圧に対する要求を満たすことを特徴とする多重波信号変調電源の製造方法。
【発明の詳細な説明】
【技術分野】
【０００１】
本発明は、物理、医療健康機器の分野に属し、具体的には、多重波信号休養室、及び多重波信号変調電源の作製方法に関する。
【背景技術】
【０００２】
本発明は、先駆的発明であり、生体の多重波形に一致する休養室、及び多重波信号変調電源の作製方法に関し、生体が室内で多重波共振を発生し、多重波共振により、例えば糖尿病、高血圧、痛風、早期癌等の患者が治療を受ける際に、健康を回復させ、養生及びヘルスケアに適用され、寿命を延ばすことができる。
【０００３】
本発明者は、人の経絡に対する長年の研究により、人体経絡が多重波形であることを発見した。オシロスコープにより、60種類以上の波形が観察されたが、以下、図24-35に示すように、そのうちの12種類の代表的な波形を例として選択する。長年の研究及び実験により、本発明の多重波信号休養室の多重波信号放出素子から放出する電磁波の波形が、人体経絡から放出する電磁波の波形と完全に一致するようになり、このような多重波信号放出素子を本発明に応用し、室内の人体に多重波共振を発生させ、健康の回復、寿命の延長に有利である。また、本発明は、多重波信号変調電源の作製方法に関し、該多重波信号変調電源の作製方法により作製される多重波信号変調電源を、前記多重波信号休養室に用いる。 
【発明の概要】
【０００４】
上述した人体の疾病、例えば糖尿病、高血圧、痛風、早期癌の現代医学及び中医治療における問題を解決し、また、健康を回復させ、養生及びヘルスケアに適用され、寿命を延ばすことができることを実現するために、本発明は、以下の技術手段を提供する。
【０００５】
多重波信号休養室であって、多重波信号放出素子支持フレーム、加熱コイル、高圧電場、多重波信号変調電源、多重波信号導波カバー、多重波信号放出素子台、多重波信号放出素子、及び中間かご形カプセル骨格を備え、前記加熱コイルは、前記多重波信号放出素子支持フレームに均一に巻き付けられ、前記多重波信号放出素子を加熱し、前記多重波信号放出素子支持フレームの頂部が前記多重波信号導波カバーに接続され、ボルトが前記多重波信号導波カバーの頂部から前記多重波信号放出素子の底部に設けられている前記多重波信号放出素子台まで前記多重波信号放出素子支持フレームの頂部に接続され、前記多重波信号放出素子台は、高圧電源の正極に電気的接続され、多重波信号導波カバーに接続されている前記ボルトは、高圧電源の負極に電気的接続され、前記多重波信号放出素子台の外壁に、1層のコイル又は金属体が前記多重波信号変調電源の多重波信号電荷のキャリアとして巻き付けられ、前記中間かご形カプセル骨格の前後に前記カプセル開閉ドアが設けられ、前記中間かご形カプセル骨格の外部がカプセル外殻により包まれ、内部に多孔質コンテナが設けられ、中央に可動ベッドが設置され、前記中間かご形カプセル骨格に、90-150個の多重波信号放出素子が均一に取り付けられ、カプセル内に換気扇1、換気扇2、及び照明装置が設けられ、前記多重波信号放出素子の回路制御システムは、ソフトウェアプログラムをコントロールすることにより、モニター画面にて各前記多重波信号放出素子の前記加熱コイル、前記高圧電場、前記多重波信号変調電源の動作が正常であるか否かを明確に観察することができるとともに、カプセル内の温度変化を観察しコントロールすることができ、プログラムの制御により、前記多重波信号休養室が人体と多重波共振を発生する多重波信号休養室。
【０００６】
前記多重波信号放出素子支持フレームは円錐状であり、円錐状の頂部の直径が46mm、垂直方向の高さが90mm、壁厚が4-5mmであり、前記多重波信号放出素子支持フレームの中部の直径が77mmで、前記加熱コイルの巻き付け領域であり、前記多重波信号放出素子支持フレームの円錐状の底部の直径が98mmであり、中心円の中央が前記ボルトを接続するボルト孔であり、前記多重波信号放出素子支持フレームの断面頂部にある前記ボルト孔の直径が6mmであり、前記多重波信号放出素子支持フレームのキャビティ内の円錐角が34°であり、前記多重波信号放出素子支持フレームは、セラミック（紫砂陶）で作製され、本体表面にTDP材料を釉薬として塗布し、焼成されてなる。 
【０００７】
前記加熱コイルの電力は10-25Wである。 
【０００８】
前記多重波信号導波カバーは円錐状であり、前記多重波信号導波カバーは金属で作製され、高さが59-65mm、頂部の直径が10-20mm、底部の直径が68-75mm、壁厚が1.5-3mmであり、ボルト孔がφ6mm、カバー内の円錐角が34°であり、多重波信号導波カバーがステンレス鋼で作製されることが好ましい。 
【０００９】
前記多重波信号放出素子台は、プラスチックで作製され、直径が108-115mm、高さが107-115mmであり、基台の内壁が金属体であり、底部ボルト孔の外側凹孔がφ13mm、内ボルト孔がφ6mmであり、前記多重波信号放出素子台は、1000-3000Vの高圧電源の正極に電気的接続されている。 
【００１０】
前記多重波信号放出素子台の外壁に巻き付けられているコイル又は金属体の高さは30-40mmであり、前記多重波信号電荷のキャリアの信号電流は2-3mA、電圧は5-6Vである。
【００１１】
前記中間かご形カプセル骨格の直径が800-900mm、長さが2000mm-2100mmであり、前記中間かご形カプセル骨格の中央に取り付けられている可動ベッドは1800mm-1900mmである。
【００１２】
前記多重波信号放出素子の負極は、マグネシウム材料又はマグネシウム合金材料板材で作製され、厚さが0.2-1mmであり、板材表面が絶縁処理されており、前記多重波信号放出素子の負極に負極溶接点及び負極引出線の溶接点が設けられ、前記多重波信号放出素子の信号変調電極及び集電器に集電器1、負極板、集電器2、集電器での銅質又は銀質箔電極1、集電器での銅質又は銀質箔電極2、及び正極引出線を有する。 
【００１３】
前記多重波信号変調電源の仕様は、40.5×32.5×18.5cm、質量30kgであり、前記多重波信号変調電源に多重波信号変調電源コイルがあり、多重波信号変調電源に正極配線端子及び負極配線端子が設けられ、前記多重波信号変調電源は、「零点化機能物理電源」という製品名で「中国電源製品品質監督検査センター」により「検査報告書」が発行され、報告書番号:(2014)QTW104号である。 
【００１４】
前記多重波信号休養室は、カプセル外観のサイズパラメータが高さ1400-1600mm、長さ2100-2400mm、直径96-110mmであり、消費電力パラメータが動作電圧36V、12V、周波数50-60Hz、放出素子の直流電界高電圧1000-3000V、総消費電力300W-4000Wであり、室内の動作温度が33°C-50°Cの範囲内で制御可能である。90-150個の多重波信号放出素子の加熱コイル、多重波信号変調電源、高圧電場、及び室内の動作温度により動作状態を構成し、動作が正常であるか否かが、システムのコントロール画面に図で明確に表示されることができる。 
【００１５】
前記多重波信号休養室の回路制御システムは、図36に示すように、具体的には、システム電源がAC220V電圧を電圧変換回路に輸出し、電圧変換回路が電圧をAC0-36V可変電圧に変換して加熱コイルに供給し、同時に電圧変換回路が電圧発生器に電圧DC6-12Vを供給し、加熱コイル、電圧発生器、及び多重波信号電源が制御器に供給し、制御器がコンピュータのソフトウェアシステムの指令により90-150個の放出素子を制御することにより、各放出素子の加熱コイル、高圧電場、多重波信号変調電源の動作が正常か否かを制御し、また、室内の温度変化を観察、ントロールすることができる。
【００１６】
多重波信号変調電源の製造方法であって、
1、マグネシウム及びマグネシウム合金板材で多重波信号電源の負極24を作製し、板材の厚さを0.2-1mmにし、板材表面を絶縁処理するステップと、
2、多重波信号変調電源の集電器を作製するステップと、
を含み、
【００１７】
前記多重波信号変調電源の集電器の作製は、以下の通りであり、
（1）塩化カルシウム600gに水600gを入れ、コロイドを形成し、(2)2％のキサンタンガム水溶液7000g、(3)工業用塩1800g、(4)ラノリン360g、(5)グリセリン360g、(6)植物油300g、(7)133水溶性接着剤600g、(8)10％もち米粉ペースト1800g、及び(9)親油性乳化剤300gを加え、乳化し、乳化した混合物に、(10)酸化トリウム240g、(11)リン酸鉄240g、(12)コバルト酸リチウム100g、(13)ニッケル酸リチウム100g、(14)リン酸三ナトリウム4800g、(15)工業用塩300g、(16)硫酸コバルト800-1200g、及び(17)黒鉛3600g-4100gを入れ、撹拌器にて均一に撹拌した後、厚さが0.3-0.6mmとなるように20-30gの紙に塗布し、乾燥し、切断した後、負極に貼り付け、真空で40-70°Cで1-2時間乾燥させた後、集電板に銅又は銀箔を正極として貼り付け、正極と負極との間の電圧が1.3-2Vであり、集電板を積層して直列接続することにより、前記多重波信号電荷のキャリアの信号電流が90-270mA、電圧が5-6Vである要求を満たす多重波信号変調電源の製造方法。
【００１８】
本発明の有益な効果は以下の通りである。
前記多重波信号休養室は、多重波信号放出室であり、室内に90-150個の多重波信号放出素子が配置されている。これらの素子は、電場の作用下で、多重波信号電源により信号変調されることにより、人体に対応する多重波形を放出し、人体に室内で多重波共振を発生させることで、疾病を解消し、健康を回復し、寿命を延ばすことを達成し、前記多重波信号変調電源の作製方法により作製された多重波信号変調電源は、前記多重波信号休養室に適用される。 
【図面の簡単な説明】
【００１９】
【図１】前記多重波信号休養室の構造斜視図である。
【図２】前記多重波信号休養室の構造全体図である。
【図３】前記多重波信号休養室の構造閉合図である。
【図４】前記多重波信号放出素子の組立図である。
【図５】前記多重波信号放出素子の組立図の断面図である。
【図６】前記多重波信号放出素子の底面図である。
【図７】前記F-Fの断面図である。
【図８】前記多重波信号変調電源の負極の図である。
【図９】前記多重波信号変調電源の変調極と負極との接着の断面である。
【図１０】前記多重波信号変調電源の構造図である。
【図１１】前記多重波信号放出素子支持フレームの正面図である。
【図１２】前記多重波信号放出素子支持フレームの三次元の斜視図である。
【図１３】前記多重波信号放出素子支持フレームの底部構造図である。
【図１４】前記多重波信号放出素子支持フレームのF-F断面図である。
【図１５】前記多重波信号放出素子台の正面断面図である。
【図１６】前記多重波信号放出素子台の取付角の断面図である。
【図１７】前記多重波信号放出素子台の三次元構造図である。
【図１８】前記多重波信号放出素子台の底部構造図である。
【図１９】前記多重波信号放出素子台のM-M面断面図である。
【図２０】前記多重波信号導波カバーの断面図である。
【図２１】前記多重波信号導波カバーの底部構造図である。
【図２２】前記多重波信号導波カバーの三次元構造図である。
【図２３】前記多重波信号導波カバーのD-D断面図である。
【図２４】人体電気信号の波形図1である。
【図２５】人体電気信号の波形図2である。
【図２６】人体電気信号の波形図3である。
【図２７】人体電気信号の波形図4である。
【図２８】人体電気信号の波形図5である。
【図２９】人体電気信号の波形図6である。
【図３０】人体電気信号の波形図7である。
【図３１】人体電気信号の波形図8である。
【図３２】人体電気信号の波形図9である。
【図３３】人体電気信号の波形図10である。
【図３４】人体電気信号の波形図11である。
【図３５】人体電気信号の波形図12である。
【図３６】前記休養室回路制御システムの構造図である。
【符号の説明】
【００２０】
16ボルト;17多重波信号導波カバー;18加熱コイル;19多重波信号放出素子支持フレーム;20-高圧電場;21多重波信号放出素子台;22多重波信号変調電源コイル;24負極;25負極溶接点;26負極引出線の溶接点;27集電器1;28負極板;29集電器2;30集電器での銅質又は銀質箔電極1;31集電器での銅質又は銀質箔電極2;32正極引出線;33多重波信号変調電源;34正極配線端子;35負極配線端子;36中間かご形カプセル骨格;37多重波信号放出素子;38カプセル開閉ドア;39可動ベッド;40カプセル外殻;41多孔質コンテナ;42換気扇1;43換気扇2 
【発明を実施するための形態】
【００２１】
以下、図面及び本発明の好ましい実施例を参照しながら本発明を更に詳しく説明する。 
【００２２】
図1-10に示すように、多重波信号休養室は、多重波信号放出素子支持フレーム19、加熱コイル18、高圧電場20、多重波信号変調電源33、多重波信号導波カバー17、多重波信号放出素子台21、多重波信号放出素子37、及び中間かご形カプセル骨格36を含み、前記加熱コイル18が放出素子支持フレーム19に均一に巻き付けられ、多重波信号放出素子37を加熱し、前記多重波信号放出素子支持フレーム19の頂部に多重波信号導波カバー17が接続され、ボルトが多重波信号導波カバー17の頂部から多重波信号放出素子37の底部に設けられている多重波信号放出素子台21まで多重波信号放出素子支持フレーム19の頂部に接続され、多重波信号放出素子台21が高圧電源の正極に接続され、多重波信号導波カバー17を接続するボルトが高圧電源の負極に接続され、前記等微子放出素子台21の外壁に1層のコイル又は金属体が前記多重波信号変調電源33の多重波信号電荷のキャリアとして巻きつけられ、前記中間かご形カプセル骨格36カプセルの前後にカプセル開閉ドアが設けられ、カプセル外部がカプセル外殻40により包まれ、内部に多孔質コンテナ41が設けられ、中央に可動ベッド39が取り付けられ、前記中間かご形カプセル骨格36に、90-150個の放出素子37が均一に取り付けられ、カプセル内に換気扇1 42、換気扇2 43、及び照明装置が設けられ、前記等微子放出素子37の回路制御システムは、コントロールソフトウェアプログラムをコントロールすることにより、モニター画面にて各放出素子の加熱コイル18、高圧電場20、多重波信号変調電源33の動作が正常であるか否かを明確に観察することができるとともに、室内の温度変化を観察しコントロールすることができ、プログラムの制御により、多重波信号休養室が人体と多重波共振を発生する。 
【００２３】
図11-14に示すように、前記多重波信号放出素子支持フレーム19は円錐状であり、円錐状の頂部直径が46mm、垂直方向の高さが90mm、壁厚が4-5mmであり、前記多重波信号放出素子支持フレーム19の中部の直径が77mmで、加熱コイルの巻き付け領域であり、前記多重波信号放出素子支持フレーム19の円錐状底部直径が98mmであり、中心円の中央がボルトを接続するボルト孔であり、前記多重波信号放出素子支持フレーム19の断面頂部にあるボルト孔の直径が6mmであり、支持フレームのキャビティ内の円錐角が34°であり、前記多重波信号放出素子支持フレーム19は、セラミック（紫砂陶）で作製され、本体表面にTDP材料を釉薬として塗布し、焼成されてなる。 
【００２４】
前記加熱コイル18の電力は10-25Wである。 
【００２５】
図20-23に示すように、前記多重波信号導波カバー17は円錐状であり、前記多重波信号導波カバー17は金属で作製され、高さが59-65mm、頂部の直径が10-20mm、底部の直径が68-75mm、壁厚が1.5-3mm、ボルト孔がφ6mm、カバー内の円錐角が34°であり、多重波信号導波カバー17がステンレス鋼により作製されることが好ましい。
【００２６】
図15-19に示すように、前記多重波信号放出素子台21は、プラスチックで作製され、直径が108-115mm、高さが107-115mm、基台の内壁が金属体であり、底部ボルト孔の外側凹孔がφ13mm、内ボルト孔がφ6mm、前記多重波信号放出素子台21は、1000-3000Vの高圧電源の正極に電気的接続されている。前記多重波信号放出素子台21の外壁に巻き付けられているコイル又は金属体の高さは30-40mmであり、前記多重波信号電荷のキャリアの信号電流は2-3mA、電圧は5-6Vである。 
【００２７】
前記中間かご形カプセル骨格36の直径が800-900mm、長さが2000mm-2100mmであり、前記中間かご形カプセル骨格36の中央に設置されている可動ベッド39が1800mm-1900mmである。 
【００２８】
前記多重波信号放出素子37の回路制御システムは、前記多重波信号休養室の温度を、安定した動作範囲となる33°C-50°Cに制御する。 
【００２９】
前記多重波信号放出素子37の負極24は、マグネシウム材料又はマグネシウム合金材料板材で作製され、厚さが0.2-1mmであり、表面が絶縁処理されており、前記多重波信号放出素子の負極に負極溶接点25及び負極引出線の溶接点26が設けられ、前記多重波信号放出素子37の信号変調電極及び集電器に集電器1 27、負極板28、集電器2 29、集電器での銅質又は銀質箔電極1 30、集電器での銅質又は銀質箔電極2 31、及び正極引出線32を有する。 
【００３０】
前記多重波信号変調電源33の仕様は、40.5×32.5×18.5cm、質量30kgであり、前記多重波信号変調電源33に多重波信号変調電源コイル22があり、多重波信号変調電源33に正極配線端子34及び負極配線端子35が設けられ、前記多重波信号変調電源は、「零点化機能物理電源」という製品名で「中国電源製品品質監督検査センター」により「検査報告書」が発行され、報告書番号:(2014)QTW104号である。 
【００３１】
前記多重波信号休養室は、カプセル外観のサイズパラメータが高さ1400-1600mm、長さ2100-2400mm、直径96-110mmであり、消費電力パラメータが動作電圧36V、12V、周波数50-60Hz、放出素子の直流電界高電圧1000-3000V、総消費電力300W-4000Wであり、室内の動作温度が33°C-50°Cの範囲内で制御可能である。90-150個の多重波信号発射元加熱コイル18、多重波信号変調電源33、高圧電場20、及び室内の動作温度により動作状態を構成し、動作が正常であるか否かが、システムのコントロール画面に図で明確に表示されることができる。 
【００３２】
前記多重波信号休養室の回路制御システムは、図36に示すように、具体的には、システム電源がAC220V電圧を電圧変換回路に輸出し、電圧変換回路が電圧をAC0-36V可変電圧に変換して加熱コイルに供給し、同時に電圧変換回路が電圧発生器に電圧DC6-12Vを供給し、加熱コイル、電圧発生器、及び多重波信号電源が制御器に供給し、制御器がコンピュータのソフトウェアシステムの指令により90-150個の放出素子を制御することにより、各放出素子の加熱コイル、高圧電場、多重波信号変調電源の動作が正常か否かを制御し、また、室内の温度変化を観察、ントロールすることができる。 
【００３３】
多重波信号変調電源33の作製方法のステップは以下の通りである。
1、マグネシウム及びマグネシウム合金板材で多重波信号電源の負極24を作製し、板材の厚さを0.2-1mmにし、板材表面を絶縁処理する。
2、多重波信号変調電源33の集電器の作製:
（1）塩化カルシウム600gに水600gを入れ、コロイドを形成し、(2)2％のキサンタンガム水溶液7000g、(3)工業用塩1800g、(4)ラノリン360g、(5)グリセリン360g、(6)植物油300g、(7)133水溶性接着剤600g、(8)10％もち米粉ペースト1800g、及び(9)親油性乳化剤300gを加え、乳化し、
乳化した混合物に、(10)酸化トリウム240g、(11)リン酸鉄240g、(12)コバルト酸リチウム100g、(13)ニッケル酸リチウム100g、(14)リン酸三ナトリウム4800g;(15)工業用塩300g、(16)硫酸コバルト800-1200g、及び(17)黒鉛3600g-4100gを入れ、撹拌器にて均一に撹拌した後、厚さが0.3-0.6mmとなるように20-30gの紙に塗布し、乾燥し、切断した後、負極に貼り付け、真空で40-70°Cで1-2時間乾燥させた後、集電板に銅又は銀箔を正極として貼り付ける。正極と負極との間の電圧が1.3-2Vであり、集電板を積層して直列接続することにより、前記多重波信号電荷のキャリアの信号電流が90-270mA、電圧が5-6Vである要求を満たす。 
【００３４】
前記多重波信号休養室は、多重波信号放出室であり、室内に90-150個の多重波信号放出素子が配置されている。これらの素子は、電場の作用下で、多重波信号電源により信号変調されることにより、人体に対応する多重波形を放出し、人体に室内で多重波共振を発生させることで、疾病を解消し、健康を回復し、寿命を延ばすことを達成し、前記多重波信号変調電源の作製方法により作製された多重波信号変調電源は、前記多重波信号休養室に適用される。 
【００３５】
以上の説明は、本発明の好ましい実施例に過ぎず、本発明の範囲を限定するものではない。本発明の特許請求の範囲及び明細書の内容に基づいた同等置換、修飾は、本発明の範囲内に含まれるべきである。 
【図１】
2018508317.tif 000003
【図２】
2018508317.tif 000004
【図３】
2018508317.tif 000005
【図４】
2018508317.tif 000006
【図５】
2018508317.tif 000007
【図６】
2018508317.tif 000008
【図７】
2018508317.tif 000009
【図８】
2018508317.tif 000010
【図９】
2018508317.tif 000011
【図１０】
2018508317.tif 000012
【図１１】
2018508317.tif 000013
【図１２】
2018508317.tif 000014
【図１３】
2018508317.tif 000015
【図１４】
2018508317.tif 000016
【図１５】
2018508317.tif 000017
【図１６】
2018508317.tif 000018
【図１７】
2018508317.tif 000019
【図１８】
2018508317.tif 000020
【図１９】
2018508317.tif 000021
【図２０】
2018508317.tif 000022
【図２１】
2018508317.tif 000023
【図２２】
2018508317.tif 000024
【図２３】
2018508317.tif 000025
【図２４】
2018508317.tif 000026
【図２５】
2018508317.tif 000027
【図２６】
2018508317.tif 000028
【図２７】
2018508317.tif 000029
【図２８】
2018508317.tif 000030
【図２９】
2018508317.tif 000031
【図３０】
2018508317.tif 000032
【図３１】
2018508317.tif 000033
【図３２】
2018508317.tif 000034
【図３３】
2018508317.tif 000035
【図３４】
2018508317.tif 000036
【図３５】
2018508317.tif 000037
【図３６】
2018508317.tif 000038
【手続補正書】
【提出日】平成29年6月26日(2017.6.26)
【手続補正１】
【補正対象書類名】特許請求の範囲
【補正対象項目名】全文
【補正方法】変更
【補正の内容】
【特許請求の範囲】
【請求項１】
多重波信号休養室であって、カプセル外殻、中間かご形カプセル骨格、カプセル開閉ドア、及び多重波信号放出素子を備え、前記多重波信号放出素子は、多重波信号放出素子支持フレーム、加熱コイル、高圧電場、多重波信号変調電源、多重波信号導波カバー、及び多重波信号放出素子台を含み、前記加熱コイルは、前記多重波信号放出素子支持フレームに均一に巻き付けられ、前記多重波信号放出素子を加熱し、前記多重波信号放出素子支持フレームの頂部が前記多重波信号導波カバーに接続され、ボルトが前記多重波信号導波カバーの頂部から前記多重波信号放出素子の底部に設けられている前記多重波信号放出素子台まで前記多重波信号放出素子支持フレームの頂部に接続され、前記多重波信号放出素子台は、高圧電源の正極に電気的接続され、前記ボルトは、高圧電源の負極に電気的接続され、前記多重波信号放出素子台の外壁に、1層のコイル又は金属体が前記多重波信号変調電源の多重波信号電荷のキャリアとして巻き付けられ、前記中間かご形カプセル骨格の前後に前記カプセル開閉ドアが設けられ、前記中間かご形カプセル骨格の外部がカプセル外殻により包まれ、内部に多孔質コンテナが設けられ、前記中間かご形カプセル骨格に、90-150個の多重波信号放出素子が均一に取り付けられ、カプセル内に換気扇1、換気扇2、及び照明装置が設けられ、前記多重波信号放出素子の回路制御システムは、ソフトウェアプログラムをコントロールすることにより、モニター画面にて各前記多重波信号放出素子の前記加熱コイル、前記高圧電場、前記多重波信号変調電源の動作が正常であるか否かを明確に観察することができるとともに、カプセル内の温度変化を観察しコントロールすることができ、プログラムの制御により、前記多重波信号休養室が人体と多重波共振を発生することを特徴とする多重波信号休養室。
【請求項２】
前記多重波信号放出素子支持フレームは円錐状であり、円錐状の頂部の直径が46mm、垂直方向の高さが90mm、壁厚が4-5mmであり、前記多重波信号放出素子支持フレームの中部の直径が77mmで、前記加熱コイルの巻き付け領域であり、前記多重波信号放出素子支持フレームの円錐状の底部の直径が98mmであり、中心円の中央が前記ボルトを接続するボルト孔であり、前記多重波信号放出素子支持フレームの断面頂部にある前記ボルト孔の直径が6mmであり、前記多重波信号放出素子支持フレームのキャビティ内の円錐角が34°であり、前記多重波信号放出素子支持フレームは、セラミック（紫砂陶）で作製され、本体表面にTDP材料を釉薬として塗布し、焼成されてなることを特徴とする請求項1に記載の多重波信号休養室。
【請求項３】
前記加熱コイルの電力が10-25Wであることを特徴とする請求項1に記載の多重波信号休養室。
【請求項４】
前記多重波信号導波カバーは円錐状であり、前記多重波信号導波カバーは金属で作製され、高さが59-65mm、頂部の直径が10-20mm、底部の直径が68-75mm、壁厚が1.5-3mmであり、前記多重波信号導波カバー内の円錐角が34°であることを特徴とする請求項1に記載の多重波信号休養室。
【請求項５】
前記多重波信号放出素子台は、プラスチックで作製され、直径が108-115mm、高さが107-115mmであり、基台の内壁が金属体であり、前記多重波信号放出素子台は、1000-3000Vの高圧電源の正極に電気的接続されていることを特徴とする請求項1に記載の多重波信号休養室。
【請求項６】
前記多重波信号放出素子台の外壁に巻き付けられているコイル又は金属体の高さは30-40mmであり、前記多重波信号電荷のキャリアの信号電流は2-3mA、電圧は5-6Vであることを特徴とする請求項1に記載の多重波信号休養室。
【請求項７】
前記中間かご形カプセル骨格の直径が800-900mm、長さが2000mm-2100mmであり、前記中間かご形カプセル骨格の中央に取り付けられている可動ベッドは1800mm-1900mmであることを特徴とする請求項1に記載の多重波信号休養室。
【請求項８】
前記多重波信号放出素子の回路制御システムは、前記多重波信号休養室の温度を、安定した動作範囲となる33°C-50°Cに制御することを特徴とする請求項1に記載の多重波信号休養室。
【請求項９】
前記多重波信号変調電源は、マグネシウム及びマグネシウム合金板材で作製された負極と、集電器と、集電器に銅又は銀箔が貼り付けられる正極とを含み、前記板材の厚さが0.2-1mmであり、板材表面が絶縁処理されており、該正極と負極との間の電圧が1.3-2Vであり、集電板が積層して直列接続されることにより、前記多重波信号電荷のキャリアの信号電流及び電圧に対する要求を満たすことを特徴とする請求項1に記載の多重波信号休養室。
【請求項１０】
前記集電器は、
（1）塩化カルシウム600gに水600gを入れ、コロイドを形成し、(2)2％のキサンタンガム水溶液7000g、(3)工業用塩1800g、(4)ラノリン360g、(5)グリセリン360g、(6)植物油300g、(7)133水溶性接着剤600g、(8)10％もち米粉ペースト1800g、及び(9)親油性乳化剤300gを加え、乳化し、乳化した混合物に、(10)酸化トリウム240g、(11)リン酸鉄240g、(12)コバルト酸リチウム100g、(13)ニッケル酸リチウム100g、(14)リン酸三ナトリウム4800g、(15)工業用塩300g、(16)硫酸コバルト800-1200g、及び(17)黒鉛3600g-4100gを入れ、撹拌器にて均一に撹拌した後、厚さが0.3-0.6mmとなるように20-30gの紙に塗布し、乾燥し、切断した後、負極に貼り付け、真空で40-70°Cで1-2時間乾燥させることにより作製されることを特徴とする請求項9に記載の多重波信号休養室。
【国際調査報告】
2018508317.tif 000039
2018508317.tif 000040
2018508317.tif 000041
2018508317.tif 000042
2018508317.tif 000043
2018508317.tif 000044
2018508317.tif 000045
2018508317.tif 000046